(57)【要約】【課題】開封時にシュリンク封緘材を取り外しやすく、分別廃棄処理時に感熱接着型ラベルを剥がしやすい易開封性及び易ラベル剥離性ガラス瓶を提供する。【解決手段】ガラス瓶口部にキャップを装着し、シュリンク封緘材をキャップとガラス瓶の胴部上方部に被せて熱収縮させ、感熱接着型ラベルをシュリンク封緘材の下端部とガラス瓶の胴部に連続させて接着し、シュリンク封緘材の周面フィルムに、横ミシン目をキャップ下端と感熱接着型ラベルの上端との間の対応所定位置に設け、横ミシン目に連続させて平行な２本の縦ミシン目を上方設け、２本の縦ミシン目に連続させてシュリンク封緘材の環状天面フィルムに２本の横ミシン目を設け、２本の横ミシン目間の内周に切断開始突部を突設し、シュリンク封緘材の周面フィルムの横ミシン目の下方近接位置でガラス瓶の感熱接着型ラベルが貼着されていない胴部の延長上位置に縦の切れ目線を設ける。【選択図】図１
2006306442.tif 000002
【特許請求の範囲】
【請求項１】
ガラス瓶の口部にキャップを装着し、中央部が開口する環状天面フィルムと円筒状周面フィルムとからなるシュリンク封緘材を、キャップを覆いガラス瓶の胴部上方部に至るまで被せて熱収縮させ、感熱接着型ラベルを、シュリンク封緘材の下端部からガラス瓶の胴部に連続させて接着し、かつ、シュリンク封緘材の周面フィルムに、周方向に連続する横のミシン目をキャップ下端と感熱接着型ラベルの上端との間の対応所定位置に設け、この横のミシン目に連続させて平行な２本の縦のミシン目を上方へ垂直に設け、この２本の縦のミシン目に連続させてシュリンク封緘材の環状天面フィルムに２本の横のミシン目を設け、この２本の横のミシン目間の内周に切断開始突部を突設し、シュリンク封緘材の周面フィルムの横のミシン目の下方近接位置でガラス瓶の感熱接着型ラベルが貼着されていない胴部の延長上位置に縦の切れ目線を設けたことを特徴とする易開封性及び易ラベル剥離性ガラス瓶。
【発明の詳細な説明】
【技術分野】
【０００１】
本発明は、容器を開封するときに、キャップを封緘するシュリンク封緘材が開封し易く、使用後に分別廃棄処理するときに、感熱接着型ラベルをガラス瓶から容易に剥離できる易開封性及び易ラベル剥離性ガラス瓶に関するものである。
【背景技術】
【０００２】
従来、ドレッシングなどの外観が円柱状のガラス瓶には、口部に装着するキャップの上からガラス瓶の胴部の上方部にかけてシュリンク封緘材を被せて封緘していた。このシュリンク封緘材は、一般的には、中央部が開口する環状天面フィルムと円筒状周面フィルムとからなる無蓋円筒型で、周面フィルムには、キャップの下方対応位置に周方向に連続する横のミシン目を設け、この横のミシン目に連続させて平行な２本の縦のミシン目を上方へ垂直に設け、この２本の縦のミシン目に連続させて環状天面フィルムに２本の横のミシン目を設け、この２本の横のミシン目間の内周に切断開始突部を突設したものであった。そして、ガラス瓶を開封するときには、切断開始突部に爪を掛けて剥がして指で摘んで下方へ引っ張って、環状天面フィルムの２本の横のミシン目と周面フィルムの２本の縦のミシン目と横のミシン目とを切断し、横のミシン目より上方のシュリンク封緘材をキャップから取り外し、キャップをガラス瓶から外して開封していた。なお、ガラス瓶の胴部には、内容物の表示、説明、取扱のために感熱接着型ラベルが貼着されていた。
【発明の開示】
【発明が解決しようとする課題】
【０００３】
しかしながら、上述の従来のガラス瓶においては、使用後に空き瓶を廃棄処理するときに、周面フィルムの横のミシン目より下方のシュリンク封緘材がガラス瓶に残っているものがあり、分別処理するときに問題を生じることがあった。また、ガラス瓶の胴部に貼着されている感熱接着型ラベルがガラス瓶の表面にしっかり接着しており、爪が掛かりにくくラベルを剥がすのに大変手間が掛かることなどがあった。なお、感熱接着型ラベル（４００）は、一般的に、図２に示すように、保護ニス層（５１０）／インキ層（５２０）／紙層（５３０）／感熱接着剤層（５４０）構成からなり、剥離するときに、紙層が中間剥離しやすく、所謂、紙剥け現象を起こし易かった。
【０００４】
本発明は、上述の従来のガラス瓶における問題点を解決したものであり、開封するときに、シュリンク封緘材が取り外しやすく、空き瓶を分別廃棄処理するときに、胴部に貼着された感熱接着型ラベルが剥がしやすい易開封性及び易ラベル剥離性ガラス瓶を提供するものである。
【課題を解決するための手段】
【０００５】
すなわち、本発明の第１の発明は、ガラス瓶の口部にキャップを装着し、中央部が開口する環状天面フィルムと円筒状周面フィルムとからなるシュリンク封緘材を、キャップを覆いガラス瓶の胴部上方部に至るまで被せて熱収縮させ、感熱接着型ラベルを、シュリンク封緘材の下端部からガラス瓶の胴部に連続させて接着し、かつ、シュリンク封緘材の周面フィルムに、周方向に連続する横のミシン目をキャップ下端と感熱接着型ラベルの上端との間の対応所定位置に設け、この横のミシン目に連続させて平行な２本の縦のミシン目を上方へ垂直に設け、この２本の縦のミシン目に連続させてシュリンク封緘材の環状天面フィルムに２本の横のミシン目を設け、この２本の横のミシン目間の内周に切断開始突部を突設し、シュリンク封緘材の周面フィルムの横のミシン目の下方近接位置でガラス瓶の感熱接着型ラベルが貼着されていない胴部の延長上位置に縦の切れ目線を設けたことを特徴とする易開封性及び易ラベル剥離性ガラス瓶である。
【発明の効果】
【０００６】
本発明の易開封性及び易ラベル剥離性ガラス瓶は、店頭から購入して初めて開封するときには、先ず、未開封を示すキャップを封緘するシュリンク封緘材を取り外すものであり、図１（ａ）に示すシュリンク封緘材（３００）の環状天面フィルム（３２０）に設けられている切断開始突部（３２３）に、爪を掛けて剥がして指で摘んで下方へ引っ張ると、環状天面フィルムの平行な２本の横のミシン目（３２１，３２２）が切断され、この横のミシン目に連続する図１（ｂ）に示す周面フィルム（３１０）の平行な２本の縦のミシン目（３１２，３１３）が切断され、さらに、縦のミシン目に連続する周面フィルムの周方向に連続する横のミシン目（３１１）が切断されて、横のミシン目より上方のシュリンク封緘材がキャップ（２００）から取り外される。そして、キャップを取り外してガラス瓶（１００）を開封して使用する。なお、このシュリンク封緘材の取り外し操作は、ワンタッチで容易に行うことができる。
【０００７】
また、本発明の易開封性及び易ラベル剥離性ガラス瓶は、使用後の空き瓶を分別廃棄処理するときに、ガラス瓶に残留している周面フィルムの周方向に連続する横のミシン目より下方のシュリンク封緘材を、図１（ｂ）に示すガラス瓶（１００）の感熱接着型ラベル（４００）が貼着されていない胴部（１１０）の延長上位置に設けられている縦の切れ目線（３１４）の上方の先端近傍位置に、爪を引っかけ指で摘んで下方へ引っ張ると、縦の切れ目線（３１４）を切っ掛けとしてシュリンク封緘材が縦に切断し、更にそのまま、ガラス瓶から分離したシュリンク封緘材を下方へ引き下げると、ガラス瓶の胴部に貼着する感熱接着型ラベルの上端部が、シュリンク封緘材の上面にしっかりと貼着しているため、シュリンク封緘材を下方に引っ張るにつれて、感熱接着型ラベルもシュリンク封緘材と一緒にガラス瓶の表面から剥離して来る。なお、感熱接着型ラベルは、構成層の紙層が中間剥離することなく、ガラス瓶から容易に剥離する。
【発明を実施するための最良の形態】
【０００８】
次に、本発明の易開封性及び易ラベル剥離性ガラス瓶の実施形態について、図を用いて詳細に説明する。
【０００９】
本実施形態の易開封性及び易ラベル剥離性ガラス瓶は、例えば図１（ｂ）に示すように、外観が円柱状のガラス瓶（１００）と、ガラス瓶の上端口部に螺着する低密度ポリエチレン製のキャップ（２００）と、一軸延伸ポリエチレンテレフタレートフィルムからなる無蓋円筒型のシュリンク封緘材（３００）と、例えば図２に示す保護ニス層（５１０）／インキ層（５２０）／紙層（５３０）／感熱接着剤層（５４０）構成の感熱接着型ラベル（４００）とから構成されるものである。
【００１０】
本実施形態の易開封性及び易ラベル剥離性ガラス瓶は、図１（ａ）及び（ｂ）に示すように、内容物を充填したガラス瓶（１００）の上端口部に、キャップ（２００）を螺合により装着して密封し、中央部が開口する環状天面フィルム（３２０）と円筒状周面フィルム（３１０）とからなるシュリンク封緘材（３００）を、キャップを覆いガラス瓶の胴部（１１０）上方部に至るまで被せて熱収縮させ、感熱接着型ラベルを、シュリンク封緘材の下端部からガラス瓶の胴部に連続させて加熱加圧して接着するものである。
【００１１】
なお、前もってシュリンク封緘材（３００）の周面フィルム（３１０）には、図１（ｂ）に示すように、ガラス瓶（１００）に熱収縮させて取り付けたときに、キャップ（２００）下端と感熱接着型ラベル（４００）の上端との間の対応所定位置に来るように、周方向に連続する横のミシン目（３１１）を設け、この横のミシン目に連続させて平行な２本の縦のミシン目（３１２，３１３）を上方へ垂直に設け、この２本の縦のミシン目に連続させてシュリンク封緘材の環状天面フィルム（３２０）に、図１（ａ）に示すように、２
本の横のミシン目（３２１，３２２）を設け、この２本の横のミシン目間の内周に切断開始突部（３２３）を突設し、また、図１（ｂ）に示すように、シュリンク封緘材（３００）の周面フィルム（３１０）の横のミシン目（３１１）の下方近接位置でガラス瓶（１００）の感熱接着型ラベル（４００）が貼着されていない胴部（１１０）の延長上位置に縦の切れ目線（３１４）を設けるものである。
【００１２】
本実施形態の易開封性及び易ラベル剥離性ガラス瓶は、使用するために初めて開封するときに、キャップを封緘するシュリンク封緘材の取り外しが極めて容易であり、また、使用したのちに空き瓶を分別廃棄処理するときに、ガラス瓶の胴部に貼着されている感熱接着型ラベルの剥離が極めて容易である。
【図面の簡単な説明】
【００１３】
【図１】本発明の一実施形態の易開封性及び易ラベル剥離性ガラス瓶の構成を示す説明図であり、（ａ）は、真上から見た説明図で、（ｂ）は、側面から見た説明図である。
【図２】一例の感熱接着型ラベルの構成を示す説明図である。
【符号の説明】
【００１４】
１００……ガラス瓶
１１０……胴部
２００……キャップ
３００……シュリンク封緘材
３１０……周面フィルム
３１１，３２１，３２２……横ミシン目
３１２，３１３……縦ミシン目
３１４……縦切れ目線
３２０……天面フィルム
３２４……切断開始用突部
４００……感熱接着型ラベル
４１０……保護ニス層
４２０……インキ層
４３０……紙層
４４０……感熱接着剤層
【図１】
2006306442.tif 000003
【図２】
2006306442.tif 000004